(57)【要約】【課題】  多様化する撮影モードに対し、スケジュールに応じた撮影モードをユーザの希望に応じて容易に選択可能な撮影装置を提供すること。【解決手段】  ユーザが撮影を行うイベントと、撮影を行う時間または撮影を行う場所とからスケジュール情報を設定する手段と、日時情報を検出する時間検出手段と、位置情報を検出する位置検出手段と、設定したスケジュール情報と時間検出手段によって検出した日時情報または位置検出手段によって検出した位置情報とを比較する比較手段と、上記比較手段が一致を検出した際に、撮影日時と撮影場所が同じスケジュールが複数登録している場合、スケジュールを選択できる選択手段と、上記選択手段により選択したスケジュールに応じた撮影モードでの撮影動作を可能にする制御手段を有することを特徴とした。【選択図】  図３
2011044990.tif 000002
【特許請求の範囲】
【請求項１】
ユーザが撮影を行うイベントと、撮影を行う時間または撮影を行う場所とからスケジュール情報を設定する手段と、日時情報を検出する時間検出手段と、位置情報を検出する位置検出手段と、設定したスケジュール情報と時間検出手段によって検出した日時情報または位置検出手段によって検出した位置情報とを比較する比較手段と、上記比較手段が一致を検出した際に、撮影日時と撮影場所が同じスケジュールが複数登録している場合、スケジュールを選択できる選択手段と、上記選択手段により選択したスケジュールに応じた撮影モードでの撮影動作を可能にする制御手段を有する撮影装置。
【請求項２】
同じ撮影日時かつ同じ撮影場所に対してユーザが撮影を行うイベントを複数設定することができることを特徴とする請求項１に記載の撮影装置。
【請求項３】
撮影モードを受信する手段と、上記手段を用いて受信した撮影モードを設定可能な撮影モードとして記憶する手段を有することを特徴とする請求項１に記載の撮影装置。
【請求項４】
ユーザが撮影を行うイベントと、撮影日時または撮影場所とから構成されるスケジュール情報を送受信する手段を有することを特徴とする請求項１に記載の撮影装置。
【請求項５】
撮影日時を過ぎたスケジュール情報が設定されている場合、撮影日時を過ぎている旨を表示する手段を有し、スケジュール情報を削除できることを特徴とする請求項１に記載の撮影装置。
【発明の詳細な説明】
【技術分野】
【０００１】
本発明は、撮影装置に関し、特に撮影モードを設定する撮影装置に関する。
【背景技術】
【０００２】
従来、初心者でも簡単にシーンに適した撮影を行うために、カメラに予め様々な画質調整等の撮影条件の設定を施しておく撮影モードがあり、ユーザは適した撮影モードを選択した上で撮影を行うことで、シーンに適した撮影を行うことが可能であった。
【０００３】
カメラの高機能化に伴い、これらの撮影モードも多様化しており、ユーザのニーズに合わせて増加する傾向にある。
【０００４】
そのため、多くの撮影モードからシーンに適した撮影モードを選択するために時間を要してしまい、シャッターチャンスを逃してしまうという問題がある。
【０００５】
この問題に対応するため、日時情報と地名情報からスケジュール情報を生成し、そのスケジュール情報に基づき、画質調整等の撮影条件を予め撮影装置に設定しておき、撮影時において、日時情報と地名情報の検出により、予め設定した撮影条件での撮影動作を可能にするものがある（例えば、特許文献１）。
【先行技術文献】
【特許文献】
【０００６】
【特許文献１】特開２００８−３０１２３１号公報
【発明の概要】
【０００７】
しかしながら、上述の特許文献１のように日時情報と地名情報から一意に撮影条件を設定した場合、ユーザの希望とは異なる撮影条件が設定される可能性がある。
【０００８】
さらに、日時情報と地名情報からスケジュール情報を生成し、そのスケジュール情報に基づき、撮影条件を設定する場合、適切な撮影条件を設定するためには、日時情報と地名情報と撮影条件とを関連付けたデータベースが必要となり、開発の負荷が高くなる懸念がある。
【０００９】
そこで、本発明の目的は、多様化する撮影モードに対し、スケジュールに応じた撮影モードをユーザの希望に応じて選択することを可能にした撮影装置を提供することである。
【課題を解決するための手段】
【００１０】
上記の目的を達成するために、本発明は、ユーザが撮影を行うイベントと、撮影を行う時間または撮影を行う場所とからスケジュール情報を設定する手段と、日時情報を検出する時間検出手段と、位置情報を検出する位置検出手段と、設定されたスケジュール情報と時間検出手段によって検出された日時情報または位置検出手段によって検出された位置情報とを比較する比較手段と、上記比較手段が一致を検出した際に、撮影日時と撮影場所が同じスケジュールが複数登録されている場合、スケジュールを選択できる選択手段と、上記選択手段により選択したスケジュールに応じた撮影モードでの撮影動作を可能にすることを特徴とする。
【発明の効果】
【００１１】
本発明によれば、多様化する撮影モードに対し、スケジュールに応じた撮影モードをユーザの希望に応じて選択可能な撮影装置を提供することができる。
【図面の簡単な説明】
【００１２】
【図１】本実施例１、２における撮影装置の構成を示すブロック図である。
【図２】本実施例１、２におけるＰＣの構成を示すブロック図である。
【図３】本実施例１、２における撮影装置の動作を説明するためのフローチャートである。
【図４】本実施例１、２における撮影装置での表示画面の一例を示す図である。
【図５】本実施例１における撮影装置の動作を説明するためのフローチャートである。
【図６】本実施例１、２におけるイベントと撮影モードの対応の一例を示すテーブルである。
【図７】本実施例１、２における表示画面の一例を示す図である。
【図８】本実施例１、２における撮影装置の動作を説明するためのフローチャートである。
【図９】本実施例１、２における表示画面の一例を示す図である。
【図１０】本実施例２におけるＰＣの動作を説明するためのフローチャートである。
【図１１】本実施例２における撮影装置の動作を説明するためのフローチャートである。
【発明を実施するための形態】
【００１３】
以下に、本発明の好ましい実施の形態を、添付の図面に基づいて詳細に説明する。
【００１４】
図１は、本発明の実施形態にかかわる画像処理装置の一例である撮影装置１００の構成を示すブロック図である。撮影装置はデジタルカメラ、デジタルビデオカメラなど、被写体を撮像し画像データを得る装置を含む。
【００１５】
撮影装置１００は、光学系１０１と、撮像素子１０２と、ＣＰＵ１０３と、一次記憶装置１０４と、二次記憶装置１０５と、記憶媒体１０６と、表示部１０７と、操作部１０８と、通信装置１０９と、位置取得装置１１０と、ＧＰＳアンテナ１１１と、時計装置１１２と、から構成されている。
【００１６】
光学系１０１は、レンズ、シャッター、絞りから構成されていて、被写体からの光を適切な量とタイミングで撮像素子１０２に結像させる。撮像素子１０２は、光学系１０１を通って結像した光を画像に変換する。
【００１７】
ＣＰＵ１０３は、入力された信号やプログラムに従って、各種の演算や、撮影装置１００を構成する各部分の制御を行う。
【００１８】
一次記憶装置１０４は、一時的なデータを記憶し、ＣＰＵ１０３の作業用に使われる。
【００１９】
二次記憶装置１０５は、撮影装置１００を制御するためのプログラム（ファームウェア）や各種の設定情報を記憶する。
【００２０】
記憶媒体１０６は、撮影した画像データなどを記憶する。なお、撮影後に記憶媒体１０６は取り外すことが可能であり、パーソナルコンピュータ（以下、ＰＣ）などに装着してデータを読み出すことが可能である。つまり、撮影装置１００は記憶媒体１０６へのアクセス手段を有し、記憶媒体１０６へのデータの読み書きが行えればよい。
【００２１】
表示部１０７は、撮影時のビューファインダー画像の表示、撮影した画像の表示、対話的な操作のための文字表示などを行う。なお、表示部１０７は撮影装置１００が備える必要はなく、撮影装置１００は表示部１０７の表示を制御する表示制御機能を有していればよい。
【００２２】
操作部１０８は、使用者の操作を受け付けるためのものである。操作部１０８は例えば当該撮影装置の電源状態をオン又はオフ状態に切り替える指示を行う電源釦や、動作モードの各種の設定を行う際に用いる四方向選択釦（十字キー）及び選択した設定を確定させる決定指示を行う際に用いる決定釦などの操作部材により構成される。上記の操作部材のほかにも、操作部１０８として、例えばレバー、タッチパネルなどを用いることも可能である。
【００２３】
通信装置１０９は、本撮影装置１００と外部装置、例えばＰＣのような情報処理装置との間において、制御コマンドやデータの送受信を行う。接続を確立し、データ通信するのためのプロトコルとしては、例えばＰＴＰ（Ｐｉｃｔｕｒｅ  Ｔｒａｎｓｆｅｒ  Ｐｒｏｔｏｃｏｌ）が用いられる。なお、上記通信装置１０９は、例えばＵＳＢ（Ｕｎｉｖｅｒｓａｌ  Ｓｅｒｉａｌ  Ｂｕｓ）ケーブルなどの有線接続により通信を行ってもよい。また、無線ＬＡＮなどの無線接続により通信を行ってもよい。また、外部装置と直接接続してもよいし、サーバを経由したりインターネットなどのネットワークを介して外部装置と接続してもよい。
【００２４】
位置取得装置１１０は、ＧＰＳアンテナ１１１により受信されたＧＰＳ信号の強度を測定したり、受信したＧＰＳ信号に対して周波数変換処理とＡ／Ｄ変換処理等の信号処理を施す機能を有すると共に、この信号処理されたＧＰＳ信号に対して所定の演算処理を行って、受信したＧＰＳ信号を送信している即位衛星からのＧＰＳ信号を補足し追尾する機能を有している。上記位置取得装置１１０は、ＣＰＵ１０３に接続されており、該ＣＰＵ１０３の制御によって動作し、信号処理後の信号や演算結果をＣＰＵ１０３に向けて出力する。
【００２５】
上記ＧＰＳアンテナ１１１は、複数の即位衛星から送信されたＧＰＳ信号を受信する受信手段の一部であって、当該ＧＰＳ信号の入力部である。このＧＰＳアンテナ１１１は、受信手段のほかの一部を構成する位置取得装置１１０に接続されている。これにより、ＧＰＳアンテナ１１１によって受信された即位衛星からのＧＰＳ信号は、位置取得装置１１０へと出力される。
【００２６】
上記位置取得装置１１０、ＧＰＳアンテナ１１１、ＣＰＵ１０３によって、当該撮影装置１００の地球上における位置を位置情報や日時情報等を取得する情報取得手段の主要部が構成されている。
【００２７】
時計装置１１２は、リアルタイムクロック（ＲＴＣ）であって、例えば「年」、「月」、「日」、「時」、「分」、「秒」などのそれぞれのデータを提供する電気回路である。この時計装置１１２によって生成される日時情報は、ユーザが操作部１０８の所定の操作部材を用いて設定することにより、当該撮影装置１００において基準となる日時情報であり、当該撮影装置１００において固有の時刻を表す基本時間を設定する第１の時計手段と、この第１の時計手段により設定される基本時間とは異なる時刻を表す付加時間を設定する第２の時計手段とを有して構成される。この２種類の日時設定は、ユーザによって任意に行うことが出来るものである。
【００２８】
この場合において、基本時間の設定としては、通常の場合、デジタルカメラを主にし様子ｒ歳の環境における標準時間（いわゆる自国時間）等が選択される。また、付加時間の設定としては、例えば、長距離旅行などによって時差のある環境、すなわち基本時間とは異なる標準時間となる場合等に、その旅行先などにおける標準時間（いわゆる現地時間）等が選択される。更に、時計装置１１２は、撮影装置１００による撮影動作時の日時情報を取得し得る。
【００２９】
図２は、上記撮影装置１００と通信装置１０９を介して接続する情報処理装置の一例であるＰＣ２００の構成を示すブロック図である。
【００３０】
ＰＣ２００は、表示部２０１と、操作部２０２と、ＣＰＵ２０３と、一次記憶装置２０４と、二次記憶装置２０５と、通信装置２０６とから構成されている。各構成の基本的な機能は撮影装置１００と同様であるから、ここでは詳細な説明は省略する。なお、表示部２０１にはＬＣＤなどのディスプレイ装置が用いられる。また表示部２０１はＰＣ２００が備える必要はなく、ＰＣ２００は表示部２０１の表示を制御する表示制御機能を有していればよい。さらに、操作部２０２としては、キーボードやマウスなどを用いることが可能である。
【実施例１】
【００３１】
まず、事前準備として、例えば、旅行等の出発前に、ユーザの操作により撮影装置１００のＣＰＵ１０３が旅行等のスケジュール情報を二次記憶装置１０５に記憶する。ここで、スケジュール情報とは、ユーザが撮影を行う内容を示すイベントと、撮影を行う日時と撮影を行う場所のことである。
【００３２】
このスケジュール情報を基に、二次記憶装置１０５から撮影モードが検索される。次いで、ＣＰＵ１０３が、上記スケジュール情報と上記検索された撮影モードから、スケジュール撮影情報を生成する。ここで、スケジュール撮影情報とは、イベント、撮影日時、撮影場所からなるスケジュール情報の他に、撮影モードと撮影モードの名称と説明とアイコンとを含む情報のことである。ここで、撮影モードとは、フラッシュ制御やシャッター速度、絞り値、ＩＳＯ感度、ホワイトバランスなどの各種制御パラメータの組み合わせを含む情報である。ＣＰＵ１０３はこのスケジュール撮影情報を二次記憶装置１０５に記憶する。
【００３３】
そして、ユーザが旅行などに行った際に、撮影装置１００の位置検出手段としての位置取得装置１１０とＧＰＳアンテナ１１１とが、撮影装置１００の現在の位置情報を検出する。また、時間検出手段としての時計装置１１２が現在の日時情報を検出する。次いで、ＣＰＵ１０３が、検出した現在の位置情報と現在の日時情報と二次記憶装置１０５に記憶したスケジュール撮影情報とを比較する。上記比較により一致が検出した際に、一致したスケジュール撮影情報の中から、撮影日時と撮影場所が同じスケジュール撮影情報を複数検出した場合、ユーザは、一致したスケジュール撮影情報の中から１つのスケジュール撮影情報を選択する。そして、撮影装置１００のＣＰＵ１０３は、ユーザが選択したスケジュール撮影情報に含まれる撮影モードでの撮影動作を可能にする。
【００３４】
以下、図３のフローチャートを参照して、本発明の第１の実施例による、撮影装置１００の動作について説明する。本実施例は、第１の実施形態におけるスケジュール情報の登録処理の例について説明する。
【００３５】
以下の処理は、二次記憶装置１０５に記録されたプログラムをＣＰＵ１０３が読み取り実行することによって実現する。
【００３６】
ユーザが操作部１０８を操作し電源をオン操作すると、撮影装置１００が起動して本シーケンスを開始する。次いで、ステップＳ１において、操作部１０８をユーザが操作することにより、動作モードを選択する。この動作モードは、スケジュール登録モード、スケジュール撮影設定モード、スケジュール撮影モード、再生モード、シーンモード等である。そして、ステップＳ２において、ＣＰＵ１０３が、選択された動作モードがスケジュール登録モードであるか否かを判定する。ここで、ユーザが、動作モードとしてスケジュール登録モードが選択していた場合はステップＳ３に移行し、そうでない場合はその他の動作モードに移行する。なお、このその他の動作モードのうちスケジュール撮影設定モードとスケジュール撮影モードについては後述するが、他の動作モードは一般的な動作モードであり、本実施形態の特徴部分ではないため、ここでの説明は省略する。
【００３７】
ステップＳ３では、ＣＰＵ１０３が、図４に示されるようなスケジュール登録画面を表示部１０７に表示する。このスケジュール登録画面の詳細については後述する。ステップＳ４で、操作部１０８をユーザが操作することにより、上記ステップＳ３で表示した画面に従って、撮影日時を二次記憶装置１０５に記憶し、ステップＳ５で、撮影場所を二次記憶装置１０５に記憶し、ステップＳ６で、イベント情報を二次記憶装置１０５に記憶する。ここで、イベント情報とは、「花火」や「夜景」といった撮影対象となるイベントの名称及びアイコンのことである。
【００３８】
そして、ステップＳ７において、操作部１０８をユーザが操作することで、イベント情報の登録を終了するか否かを選択する。ここで、登録を終了する場合は、ステップＳ８に移行する。一方、登録を終了しない場合は、上記ステップＳ５に移行し、同じ撮影日時と撮影場所に対して、イベント情報の登録を続ける。
【００３９】
ステップＳ８において、操作部１０８をユーザが操作することで、イベント情報の登録を終了するか否かを選択する。ここで、登録を終了しない場合は、上記ステップＳ４に移行し、以降の処理を繰り返す。一方、ステップＳ８にてスケジュール情報の登録を終了する場合には、ＣＰＵ１０３が、表示部１０７に表示中のスケジュール登録画面の表示を消灯し、スケジュール登録を終了する。
【００４０】
図４は、上述のスケジュール登録画面の表示例を示した図である。ユーザが、動作モードとしてスケジュール登録モードを選択すると、ＣＰＵ１０３は表示部１０７に本画面の表示を行う。
【００４１】
リスト３０１は二次記憶装置１０５に記憶しているスケジュール情報である撮影日時、撮影場所、イベントの表示を行っている。
【００４２】
釦３０２は登録釦であり、押下すると、ＣＰＵ１０３が、新たなスケジュール情報の登録を開始する。
【００４３】
釦３０３は削除釦であり、押下すると、ＣＰＵ１０３が、二次記憶装置１０５に記憶しているスケジュール情報の削除を開始する。
【００４４】
釦３０４は終了釦であり、押下すると、撮影装置１００に対するスケジュール情報の登録を終了し、本画面の表示を終了する。
【００４５】
撮影日時、撮影場所、イベントの登録は、例えば、以下のようにして行う。
【００４６】
ユーザは、操作部１０８の所定の操作部材、例えば四方向選択釦を用いて釦３０２を選択し、表示部１０７に撮影日時登録画面（特に図示せず）を表示する。次いで、ユーザは操作部１０８の所定の操作部材、例えば四方向選択釦を用いて撮影日時を選択し、決定釦により決定する。上記操作により、撮影日時を決定すると、ＣＰＵ１０３は表示部１０７に撮影場所登録画面（特に図示せず）を表示する。同様に、ユーザは、操作部１０８の所定の操作部材、例えば四方向選択釦を用いて撮影場所を選択し、決定釦により決定する。上記操作により、撮影場所を決定すると、ＣＰＵ１０３は表示部１０７にイベント登録画面（特に図示せず）を表示する。同様に、ユーザは、操作部１０８の所定の操作部材、例えば四方向選択釦を用いてイベントを選択し、決定釦により決定する。
【００４７】
このように、ユーザが操作部１０８の所定の操作部材を用いることで、撮影日時や撮影場所、イベントを二次記憶装置１０５に記憶することが出来る。
【００４８】
スケジュール情報の削除は、例えば、以下のようにして行われる。
【００４９】
ユーザは、操作部１０８の所定の操作部材、例えば四方向選択釦を用いて釦３０３を選択し、表示部１０７にスケジュール削除画面（特に図示せず）を表示する。次いで、ユーザは操作部１０８の所定の操作部材、例えば四方向選択釦を用いて削除するスケジュールを選択し、操作部１０８の所定の操作部材、例えば決定釦を用いて決定する。
【００５０】
このように、ユーザが操作部１０８の所定の操作部材を用いて、二次記憶装置１０５からスケジュール情報を削除することが出来る。また、スケジュール情報の削除の際に、後述のスケジュール撮影情報も削除可能とする。
【００５１】
次に、図５のフローチャートを参照して、本発明の第１の実施例による、撮影装置１００の動作について説明する。本実施例は、第１の実施形態におけるスケジュール撮影情報の生成処理及び設定処理の例について説明する。
【００５２】
ユーザが操作部１０８を操作し電源をオン操作すると、撮影装置１００が起動して本シーケンスを開始する。次いで、ステップＳ１１において、ユーザが動作モードを選択する。この動作モードは、例えば、前述したスケジュール登録モードや、スケジュール撮影設定モード、スケジュール撮影モード、再生モード、シーンモード等である。そして、ステップＳ１２において、ＣＰＵ１０３は、ユーザが選択した動作モードがスケジュール撮影設定モードであるか否かを判断する。ここで、ユーザが、動作モードとしてスケジュール撮影設定モードを選択していた場合、ステップＳ１３に移行し、そうでない場合はその他の動作モードに移行する。なお、このその他の動作モードのうち、スケジュール登録モードは前述のとおりであり、スケジュール撮影モードについては後述するが、他の動作モードは一般的な動作モードであり、本実施形態の特徴部分ではないため、ここでの説明は省略する。
【００５３】
次いで、ステップＳ１３でＣＰＵ１０３は二次記憶装置１０５に記憶している図６のテーブルと、二次記憶装置１０５に記憶しているスケジュール情報とを基に表示部１０７に図７に示すような、スケジュール撮影モード設定画面を表示する。このスケジュール撮影モード設定画面は後述する。
【００５４】
ステップＳ１４では、ユーザがスケジュール撮影情報を撮影装置１００に設定するか否かを選択する。スケジュール撮影設定情報を撮影装置１００に設定する場合、ステップＳ１５に移行し、設定しない場合、後述のステップＳ１６に移行する。
【００５５】
ステップＳ１５では、ＣＰＵ１０３は、二次記憶装置１０５にスケジュール撮影情報を記憶する。
【００５６】
ステップＳ１６では、ユーザはスケジュール撮影モードの設定を終了するか否かを選択する。ここで、設定を終了しない場合は、上記ステップＳ１４に移行し、以降の処理が繰り返される。一方、ステップＳ１６にてスケジュール設営モードの設定を終了する場合には、ＣＰＵ１０３が、表示部１０７に表示中のスケジュール撮影モード設定画面の表示を消灯し、スケジュール登録を終了する。
【００５７】
図６は、二次記憶装置１０５に記憶しているスケジュール情報のイベント情報と、二次記憶装置１０５に記憶されている撮影モードの関連を示すテーブルであり、二次記憶装置１０５に記憶されている。
【００５８】
図７は、上述のスケジュール撮影モード設定画面の表示例を示した図である。撮影装置１００のＣＰＵ１０３はスケジュール情報と二次記憶装置１０５のテーブルとを基に、表示部１０７に本画面の表示を行う。
【００５９】
リスト４０１には、ＣＰＵ１０３が、二次記憶装置１０５に記憶されているスケジュール情報と二次記憶装置１０５のテーブルとを基に、スケジュール撮影情報である撮影日時、撮影場所、イベント情報、撮影モードの名称、撮影モードの説明を表示している。
【００６０】
釦４０２は、設定釦であり、押下するとＣＰＵ１０３が、二次記憶装置１０５にスケジュール撮影情報を記憶する。スケジュール撮影情報を記憶する際には、リスト４０１に表示している全てのスケジュール撮影情報を記憶しても良いし、チェックボックス等を設けて、記憶するスケジュール撮影情報を選択可能としても良い。
【００６１】
釦４０３は、終了釦であり、押下するとＣＰＵ１０３が、撮影装置に対するスケジュール撮影モードの設定を終了し、本画面の表示を終了する。
【００６２】
このように、スケジュール撮影モードの設定処理は、ユーザが操作部１０８の所定の操作部材を用いて行うことが出来る。
【００６３】
次に、図８のフローチャートを参照して、本発明の第１の実施例による、撮影装置１００の動作について説明する。本実施例は、第１の実施形態におけるスケジュール撮影情報を利用した撮影処理の例について説明する。
【００６４】
ユーザが操作部１０８を操作し電源をオン操作すると、撮影装置１００が起動して本シーケンスを開始する。次いで、ステップＳ２１において、ユーザが動作モードを選択する。この動作モードは、例えば、前述のスケジュール登録モードや、前述のスケジュール撮影設定モードや、スケジュール撮影モード、再生モード、シーンモード等である。
【００６５】
そして、ステップＳ２２において、ＣＰＵ１０３は、ユーザが選択した動作モードがスケジュール撮影モードであるか否かを判断する。ここで、ユーザがスケジュール撮影モードが選択した場合、ステップＳ２３に移行し、そうでない場合はその他の動作モードに移行する。なお、このその他の動作モードのうちスケジュール登録モードとスケジュール撮影設定モードについては前述の通りだが、他の動作モードは一般的な動作モードであり、本実施形態の特徴部分ではないため、ここでの説明は省略する。
【００６６】
次いで、ステップＳ２３において、時間取得手段である時計装置１１２が、現在の日時情報が取得し、位置取得手段であるＧＰＳアンテナ１１１及び位置取得装置１１０が、撮影装置１００の現在の位置情報を取得する。ここで、ＣＰＵ１０３は、上記現在の日時情報及び現在の位置情報と、二次記憶装置１０５に記憶しているスケジュール撮影情報の撮影日及び撮影場所の両方が一致するか否かを判断する。上記現在の日時情報及び現在の位置情報と、撮影日及び撮影場所が一致するスケジュール撮影情報がある場合、ステップＳ２４に移行し、そうでない場合、後述のステップＳ２６に移行する。なお、本実施例では、二次記憶装置１０５に記憶しているスケジュール撮影情報における撮影日時情報の日付情報のみ用いているが、日付情報だけでなく時刻情報を用いても良い。
【００６７】
ステップＳ２４では、ＣＰＵ１０３が、上記現在の日時情報及び現在の位置情報と、スケジュール撮影情報の撮影日及び撮影場所との両方が一致するスケジュール撮影情報が二次記憶装置１０５に２つ以上記憶されているか否かを判断する。ここで、上記現在の日時情報及び現在の位置情報と、スケジュール撮影情報の撮影日及び撮影場所の両方が一致するスケジュール撮影情報を二次記憶装置１０５に２つ以上記憶している場合、ステップＳ２５に移行し、そうでない場合、後述のステップＳ２９に移行する。
【００６８】
ステップＳ２５では、ＣＰＵ１０３が、上記現在の日時情報及び現在の位置情報と、スケジュール撮影情報の撮影日及び撮影場所との両方が一致するスケジュール撮影情報を基に表示部１０７に、図９に示されるようなスケジュール選択画面が表示する。次いで、ＣＰＵ１０３が上記スケジュール選択画面に表示している２つ以上のスケジュール撮影情報から、ユーザが１つのスケジュール撮影情報を選択する。このスケジュール選択画面は後述する。
【００６９】
一方、ステップＳ２６では、ＣＰＵ１０３が、上記現在の日時情報及び現在の位置情報と、二次記憶装置１０５に記憶しているスケジュール撮影情報の撮影日及び撮影場所との、どちらか一方が一致するか否かを判断する。上記現在の日時情報及び現在の位置情報と、撮影日及び撮影場所との、どちらか一方が一致するスケジュール撮影情報がある場合、ステップＳ２７に移行し、そうでない場合、後述のステップＳ３２に移行する。
【００７０】
ステップＳ２７では、ＣＰＵ１０３が、上記現在の日時情報及び現在の位置情報と、スケジュール撮影情報の撮影日及び撮影場所との、どちらか一方が一致するスケジュール撮影情報が二次記憶装置１０５に２つ以上記憶されているか否かを判断する。ここで、上記現在の日時情報及び現在の位置情報と、撮影日及び撮影場所との、どちらか一方が一致するスケジュール撮影情報がある場合、ステップＳ２８に移行し、そうでない場合、後述のステップＳ２９に移行する。
【００７１】
ステップＳ２８では、ＣＰＵ１０３が、上記現在の日時情報及び現在の位置情報と、スケジュール撮影情報の撮影日及び撮影場所との、どちらか一方が一致するスケジュール撮影情報を基に表示部１０７に、図９に示されるようなスケジュール選択画面を表示する。次いで、ＣＰＵ１０３が、上記スケジュール選択画面に表示している２つ以上のスケジュール撮影情報から、ユーザが、１つのスケジュール撮影情報を選択する。前述した通り、このスケジュール選択画面は後述する。
【００７２】
ステップＳ２９では、ＣＰＵ１０３が、ステップＳ２５もしくはステップＳ２８でユーザが選択したスケジュール撮影情報における撮影モードを撮影装置１００に設定する。
【００７３】
そして、ステップＳ３０にて、ユーザが撮影動作を実行すると、ステップＳ３１に移行する。
【００７４】
ステップＳ３１では、ユーザが撮影を終了するか否かを選択する。ここで、撮影を終了する場合はステップＳ３２に移行し、撮影を終了しない場合は、ステップＳ３０に移行し撮影動作を行う。
【００７５】
ステップＳ３２では、ユーザがスケジュール撮影モードを終了するか否かを選択する。ここで、スケジュール撮影を終了する場合はパワーオフ処理を実行して、本シーケンスを終了する。スケジュール撮影を終了しない場合は、ステップＳ２３に移行し、以降の処理動作を繰り返す。
【００７６】
図９は上述のスケジュール撮影モードにおいて、スケジュール選択画面の表示例を示す図である。撮影装置１００のＣＰＵ１０３は、二次記憶装置１０５に記憶しているスケジュール情報を基に、表示部１０７に本画面の表示を行う。
【００７７】
リスト５０１には、ＣＰＵ１０３が、スケジュール撮影情報のイベント情報、撮影モードの名称、撮影モードの説明を表示している。ここで、ユーザは、上記リスト５０１に表示している２つ以上のスケジュール撮影情報から、１つのスケジュール撮影情報を選択する。
【００７８】
以上説明したように、本実施例によれば、多様化する撮影モードに対し、ユーザが撮影を行うスケジュールに応じた撮影モードをユーザの希望に応じて選択可能な撮影装置を提供することができる。
【実施例２】
【００７９】
上述した本発明の第１の実施例では、撮影装置において、スケジュール情報の登録処理、スケジュール撮影情報の生成処理及び設定処理、スケジュール撮影情報による撮影処理を行った。本実施例では、スケジュール撮影情報の生成処理を情報処理装置であるＰＣで行う例について述べる。
【００８０】
なお、以下に述べる実施例２において、撮影装置の基本的な構成については、上述した実施例１と同じであるので、説明の重複を避けるため、同一の部分には同一の参照番号を付して、その図示及び説明を省略し、異なる部分ついてのみ説明する。
【００８１】
本実施例において、スケジュール情報の登録処理及びスケジュール撮影情報による撮影処理は上述の実施例１と同じであるので省略し、スケジュール撮影情報の生成処理及び設定処理のみ説明する。
【００８２】
図１０のフローチャートを参照して、本発明の第２の実施例による、ＰＣ２００の動作について説明する。本実施例は、第２の実施形態におけるスケジュール撮影情報の生成処理及び設定処理の例について説明する。
【００８３】
図１０はＰＣ２００側の処理の流れを現すフローチャートである。以下の処理は、ＰＣ２００の二次記憶装置２０５に記録されたプログラムをＣＰＵ２０３が読み取り実行することによって実現する。
【００８４】
ステップＳ４１において、ＣＰＵ２０３は通信装置２０６を介して撮影装置１００と論理的な接続を確立する。
【００８５】
次いで、ステップＳ４２において、ＣＰＵ２０３は撮影装置１００に対し、撮影装置１００の二次記憶装置１０５に記憶されているスケジュール情報の取得要求を行う。そしてステップＳ４３にて、ＣＰＵ２０３は撮影装置１００が取得要求に応じて送信するスケジュール情報を受信し、二次記憶装置２０５に記録する。
【００８６】
次いで、ステップＳ４４でＣＰＵ２０３は二次記憶装置２０５に記憶している図６のテーブルから、ステップＳ４３で得た撮影装置１００のスケジュール情報を基に表示部２０１に図７に示すような、スケジュール撮影モード設定画面を表示する。
【００８７】
ステップＳ４５では、ユーザが、スケジュール撮影情報を撮影装置１００に設定するか否かを選択する。スケジュール撮影設定情報を撮影装置１００に設定する場合、ステップＳ４６に移行し、設定しない場合、後述のステップＳ４７に移行する。
【００８８】
ステップＳ４６では、ＣＰＵ２０３により、通信装置２０６を介して撮影装置１００にスケジュール撮影情報を送信する。
【００８９】
ステップＳ４７では、ユーザがスケジュール撮影モードの設定を終了するか否かを選択する。ここで、設定を終了しない場合は、上記ステップＳ４５に移行し、以降の処理が繰り返される。一方、ステップ４７にてスケジュール撮影モードの設定を終了する場合には、ステップＳ４８に移行する。
【００９０】
ステップＳ４８では、ＣＰＵ２０３は、通信装置２０６を介して撮影装置１００に接続を終了する通知を送信した上で接続処理を終了し、本実施例の撮影モード設定画面の表示も終了する。
【００９１】
図７は、上述のスケジュール撮影モード設定画面の表示例を示した図である。本実施例では、ＣＰＵ２０３は撮影装置１００から受信したスケジュール情報と二次記憶装置２０５のテーブルを基に、ＰＣ２００の表示部２０１に本画面の表示を行う。
【００９２】
次に、図１１のフローチャートを参照して、本発明の第２の実施例による、撮影装置１００の動作について説明する。本実施例は、第２の実施形態におけるスケジュール撮影モードの設定処理の例について説明する。
【００９３】
図１１は撮影装置１００側の処理の流れを現すフローチャートである。
【００９４】
ステップＳ５１において、ＣＰＵ１０３は通信装置１０９を介してＰＣ２００と論理的な接続を確立する。
【００９５】
次いで、ステップＳ５２においてＣＰＵ１０３は、ＰＣ２００から、二次記憶装置１０５に記憶されているスケジュール情報の取得要求があったか否かを判断する。これは前述の図１０におけるＰＣ２００が行うステップＳ４２に対応するものである。ＰＣ２００から、取得要求があった場合、ステップＳ５３に移行し、撮影装置１００のＣＰＵ１０３は、要求された情報を通信装置１０９を介してＰＣ２００に送信する。
【００９６】
次に、ＣＰＵ１０３は、ステップＳ５４でスケジュール撮影情報をＰＣ２００から通信装置１０９を介して受信したか否かを判断する。これは前述の図１０におけるＰＣ２００が行うステップＳ４６に対応するものである。受信していた場合、ＣＰＵ１０３は、ステップＳ５５でスケジュール撮影情報を二次記憶装置１０５に記憶する。受信していない場合、ステップＳ５６に移行する。
【００９７】
次に、ＣＰＵ１０３は、ステップＳ５６で接続終了通知をＰＣ２００から通信装置１０９を介して受信したか否かを判断する。これは前述の図１０におけるＰＣ２００が行うステップＳ４７に対応するものである。受信していなければステップＳ５３に移行し、受信していればＣＰＵ１０３は、ステップＳ５７でＰＣ２００との論理的な接続を終了する。
【００９８】
以上説明したように、本実施例によれば、多様化する撮影モードに対し、ユーザが撮影を行うスケジュールに応じた撮影モードをユーザの希望に応じて選択可能な撮影装置を提供することができる。また、ＰＣでスケジュール撮影情報を生成するため、撮影装置の二次記憶装置に記憶されていない新たな撮影モードを撮影装置に設定することができる。
【００９９】
以上、本発明の好ましい実施形態について説明したが、本発明はこれらの実施形態に限定されず、その要旨の範囲内で種々の変形及び変更が可能である。
【０１００】
なお、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１０１】
この場合、記憶媒体から読み出されたプログラムコード自体が前述した実施の形態の機能を実現することになり、そのプログラムコード及び該プログラムコードを記憶した記憶媒体は本発明を構成することになる。
【０１０２】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１０３】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【０１０４】
また、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【０１０５】
また、上述した実施形態では、位置取得情報としてＧＰＳ信号を利用するものとしたが、これに限られるものではない。例えば、携帯電話機等のように、複数の基地局を設けてこれらの基地局に向けて電波を発信して位置を特定するようなシステムで構築しても良い。
【０１０６】
また、上述した実施形態では、スケジュール登録方法として、撮影装置でスケジュールの登録を行ったが、撮影装置以外の情報処理装置、例えばＰＣで行っても良い。
【０１０７】
更に、上述した実施形態では、ユーザの操作によって選択されたスケジュール情報やスケジュール設定情報を削除していたが、これに限られるものではない。例えば、撮影日時を過ぎたスケジュール情報やスケジュール撮影情報を撮影装置に登録している場合、スケジュール情報を自動的に削除可能としても良い。
【符号の説明】
【０１０８】
１００  撮影装置
１０１  光学系
１０２  撮像素子
１０３  ＣＰＵ
１０４  一次記憶装置
１０５  二次記憶装置
１０６  記憶媒体
１０７  表示部
１０８  操作部
１０９  通信装置
１１０  位置取得装置
１１１  ＧＰＳアンテナ
１１２  時計装置
２００  ＰＣ
２０１  表示部
２０２  操作部
２０３  ＣＰＵ
２０４  一次記憶装置
２０５  二次記憶装置
２０６  通信装置
【図１】
2011044990.tif 000003
【図２】
2011044990.tif 000004
【図３】
2011044990.tif 000005
【図４】
2011044990.tif 000006
【図５】
2011044990.tif 000007
【図６】
2011044990.tif 000008
【図７】
2011044990.tif 000009
【図８】
2011044990.tif 000010
【図９】
2011044990.tif 000011
【図１０】
2011044990.tif 000012
【図１１】
2011044990.tif 000013